(57)【要約】【課題】来訪者に手短に用件を伝えさせることが可能であり、迷惑な来訪者である場合には、再度の呼び出しに応答することなく無視することが可能なインターホンシステムを提供する。【解決手段】来訪者の呼び出しに応じて居住者が応答した場合に、計時部１０は、居住者によって第１操作部１１が操作されてからの経過時間をあらかじめ設定されている通話可能時間から減算して通話残時間を演算し、第１情報表示制御部１５及び第２情報表示制御部２５はそれぞれ第１表示装置１４及び第２表示装置２４に通話残時間を表示し、通話残時間が零になったときに、通話制御部９は、第１マイクロホン１２及び第１スピーカ１３と第２マイクロホン２２及び第２スピーカ２３との間での通話を遮断する。【選択図】図１
2011120078.tif 000002
【特許請求の範囲】
【請求項１】
親機と子機で構成されるインターホンシステムであって、
前記親機は、居住者によって操作される第１操作部と、来訪者と居住者の間で通話するための第１マイクロホン及び第１スピーカと、所定の情報を表示するための第１表示装置と、前記第１表示装置に所定の情報を表示するための第１情報表示制御部と、前記子機との間での通話を制御する通話制御部と、所定の信号又は所定の動作に応じて経過時間をカウントする計時部を備え、
前記子機は、来訪者によって操作される第２操作部と、来訪者と居住者の間で通話するための第２マイクロホン及び第２スピーカと、所定の情報を表示するための第２表示装置と、前記第２表示装置に所定の情報を表示するための第２情報表示制御部を備え、
来訪者によって前記第２操作部が操作され、且つ、居住者によって前記第１操作部が操作されると、前記通話制御部は、前記第１マイクロホン及び前記第１スピーカと前記第２マイクロホン及び前記第２スピーカとの間で通話を可能とし、前記計時部は、前記居住者によって前記第１操作部が操作されてからの経過時間をあらかじめ設定されている通話可能時間から減算して通話残時間を演算し、前記第１情報表示制御部及び前記第２情報表示制御部はそれぞれ前記第１表示装置及び前記第２表示装置に前記通話残時間を表示し、
前記通話残時間が零になったときに、前記通話制御部は、前記第１マイクロホン及び前記第１スピーカと前記第２マイクロホン及び前記第２スピーカとの間での通話を遮断することを特徴とするインターホンシステム。
【請求項２】
前記通話残時間が零になるまでに居住者が前記第１操作部を操作したときは、前記計時部は、通話残時間をリセットすることを特徴とする請求項１に記載のインターホンシステム。
【請求項３】
前記子機は、所定範囲の画像を撮像するための撮像装置をさらに備え、
前記第１情報表示制御部は前記撮像装置により撮像された画像を表示可能な画像表示装置であり、
来訪者によって前記第２操作部が操作されたときに、前記撮像装置は撮像を開始し、前記第１情報表示制御部は、前記撮像装置によって撮像された画像を前記第１表示装置の画面に表示することを特徴とする請求項１又は請求項２に記載のインターホンシステム。
【請求項４】
前記計時部は、前記通話残時間が零になった後も第１所定時間計時を行い、その間前記撮像装置は撮像を継続し、前記第１情報表示制御部は、前記撮像装置によって撮像された画像を前記第１表示装置の画面に表示し続けることを特徴とする請求項３に記載のインターホンシステム。
【請求項５】
前記親機は、前記第２操作部が操作されたことに応じて前記第１スピーカから呼び出し音を出力させる音声制御部をさらに備え、
居住者によって前記第１操作部が操作されることなく前記通話残時間が零になったときは、前記計時部は、前記通話残時間が零になった後も第２所定時間計時を行い、その間、来訪者によって前記第２操作部が操作されても、前記親機は前記子機からの呼び出しを無視することを特徴とする請求項１乃至請求項４のいずれか一項に記載のインターホンシステム。
【発明の詳細な説明】
【技術分野】
【０００１】
本発明は、インターホンシステム、特に玄関先に設置される室外装置にモニタ画面を設けたインターホンシステムに関する。
【背景技術】
【０００２】
一般的なインターホンシステムでは、玄関先に設置される室外装置（子機）には、来訪者によって操作される呼び出しボタン（集合住宅における部屋番号を入力するためのテンキーを含む）、マイクロホン、スピーカ及び必要に応じて撮像装置が設けられているのみであり、動画を含む２次元画像を表示するためのモニタ画面は備えられていない。
【０００３】
来訪者が呼び出しボタンを操作すると、室内装置（親機）からチャイムなどの呼び出し音が出力されると共に、室外装置（子機）に撮像装置が設けられている場合はその撮像装置が撮像を開始し、室内装置のモニタ画面に来訪者の姿が映し出される。撮像装置が設けられている場合は、居住者は、モニタ画面に映し出された来訪者の姿を確認して、呼び出しに応答するか否かを判断することができる。そして、室内装置の受話器を取り又は応答ボタンを押すことによって、室内装置と室外装置の間で通話が可能になる。
【０００４】
受話器を取るタイプのインターホンシステムでは、受話器を元に戻すことによって室内装置と室外装置との間の通話が遮断される。一方、応答ボタンを押すタイプのインターホンシステムでは、応答ボタンを押してから一定時間（例えば１分）経過すると自動的に通話が遮断され、室内装置の延長ボタンを操作することによって、通話時間を延長することができる。
【０００５】
来訪者の中には、セールスや勧誘など居住者にとって迷惑なものも存在するが、その要件は実際に会話をしてみないと分からない。手慣れたセールスマンや勧誘者は、直接的に用件を言わず、本来の用件とは無関係な話をしながら相手を油断させて、居住者に扉を開かせるテクニックを身につけている。そして、一旦扉を開けてしまうと、手慣れたセールスマンや勧誘者は容易には引き下がらず、気の弱い居住者は、断りづらいという問題を有している。また、結果的に、居住者が根負けして、不要なものを購入したり、意に反する契約をさせられたりするなど、社会的な問題となることも少なくない。撮像装置が設けられている場合であっても、手慣れたセールスマンや勧誘者は、撮像装置に近づいたりして、自分の姿がはっきりとは写らないようにするなど、様々なテクニックを有している。
【０００６】
特許文献１には、玄関先に設置される室外装置にモニタ画面を設け、室内装置からの操作によって、室外装置にモニタ画面に警告表示を表示可能なドアホンシステムが提案されている。このようなドアホンシステムによっても、迷惑な来訪者を退散させることは可能であるが、居住者が来訪者と会話して、来訪の用件を確認していることが前提となる。従って、言葉巧みな手慣れたセールスマンや勧誘者であれば、虚偽の用件を言って扉を開けさせてしまうことも可能である。
【先行技術文献】
【特許文献】
【０００７】
【特許文献１】特開２００８−１１３３９６号公報
【発明の概要】
【発明が解決しようとする課題】
【０００８】
本発明は、上記従来例の問題を解決するためになされたものであり、来訪者の呼び出しに応じて居住者が応答してしまった場合であっても、来訪者に手短に用件を伝えさせることが可能であり、迷惑な来訪者である場合には、再度の呼び出しに応答することなく無視することが可能なインターホンシステムを提供することを目的とする。
【課題を解決するための手段】
【０００９】
上記目的を達成するために請求項１の発明は、親機と子機で構成されるインターホンシステムであって、前記親機は、居住者によって操作される第１操作部と、来訪者と居住者の間で通話するための第１マイクロホン及び第１スピーカと、所定の情報を表示するための第１表示装置と、前記第１表示装置に所定の情報を表示するための第１情報表示制御部と、前記子機との間での通話を制御する通話制御部と、所定の信号又は所定の動作に応じて経過時間をカウントする計時部を備え、前記子機は、来訪者によって操作される第２操作部と、来訪者と居住者の間で通話するための第２マイクロホン及び第２スピーカと、所定の情報を表示するための第２表示装置と、前記第２表示装置に所定の情報を表示するための第２情報表示制御部を備え、来訪者によって前記第２操作部が操作され、且つ、居住者によって前記第１操作部が操作されると、前記通話制御部は、前記第１マイクロホン及び前記第１スピーカと前記第２マイクロホン及び前記第２スピーカとの間で通話を可能とし、前記計時部は、前記居住者によって前記第１操作部が操作されてからの経過時間をあらかじめ設定されている通話可能時間から減算して通話残時間を演算し、前記第１情報表示制御部及び前記第２情報表示制御部はそれぞれ前記第１表示装置及び前記第２表示装置に前記通話残時間を表示し、前記通話残時間が零になったときに、前記通話制御部は、前記第１マイクロホン及び前記第１スピーカと前記第２マイクロホン及び前記第２スピーカとの間での通話を遮断することを特徴とする。
【００１０】
請求項２の発明は、請求項１に記載のインターホンシステムにおいて、前記通話残時間が零になるまでに居住者が前記第１操作部を操作したときは、前記計時部は、通話残時間をリセットすることを特徴とする。
【００１１】
請求項３の発明は、請求項１又は請求項２に記載のインターホンシステムにおいて、前記子機は、所定範囲の画像を撮像するための撮像装置をさらに備え、前記第１情報表示制御部は前記撮像装置により撮像された画像を表示可能な画像表示装置であり、来訪者によって前記第２操作部が操作されたときに、前記撮像装置は撮像を開始し、前記第１情報表示制御部は、前記撮像装置によって撮像された画像を前記第１表示装置の画面に表示することを特徴とする。
【００１２】
請求項４の発明は、請求項３に記載のインターホンシステムにおいて、前記計時部は、前記通話残時間が零になった後も第１所定時間計時を行い、その間前記撮像装置は撮像を継続し、前記第１情報表示制御部は、前記撮像装置によって撮像された画像を前記第１表示装置の画面に表示し続けることを特徴とする。
【００１３】
請求項５の発明は、請求項１乃至請求項４のいずれか一項に記載のインターホンシステムにおいて、前記親機は、前記第２操作部が操作されたことに応じて前記第１スピーカから呼び出し音を出力させる音声制御部をさらに備え、居住者によって前記第１操作部が操作されることなく前記通話残時間が零になったときは、前記計時部は、前記通話残時間が零になった後も第２所定時間計時を行い、その間、来訪者によって前記第２操作部が操作されても、前記親機は前記子機からの呼び出しを無視することを特徴とする。
【発明の効果】
【００１４】
請求項１の発明によれば、子機の第２表示装置に通話残時間が表示され、時間の経過と共に通話残時間が減っていくので、来訪者は手短に用件を伝えるように努力すると考えられる。特に、来訪者が知人であったり、来訪の用件が郵便、宅配、集金、出前などであったりする場合は、一言「○○です」で用件が分かるため、通話可能時間を気にする必要はない。それに対して、セールスや勧誘の場合は、一般的に前置きが長く、なかなか本題に入らないことが多い。そういった場合に、通話残時間表示によって、来訪者に用件を手短に伝えさせることができる。さらに、来訪者との通話から、相手が迷惑な来訪者であると判断した場合には、再度の呼び出しに応答することなく無視することが可能となる。なお、来訪者が前記第２操作部を操作したときに、第１スピーカからチャイムなどの呼び出し音が出力されることはいうまでもない。
【００１５】
請求項２の発明によれば、来訪者との通話から、相手が迷惑な来訪者ではないと判断した場合には、通話残時間が零になるまでに居住者が第１操作部を操作することによって、通話残時間を延長することができる。
【００１６】
請求項３の発明によれば、撮像装置によって来訪者の姿が撮影され、親機の第１表示装置の画面に表示されるので、来訪者が誰か容易に判断できると共に、その容姿と通話内容から迷惑な来訪者かどうかを容易に判断することが可能になる。
【００１７】
請求項４の発明によれば、来訪者との通話を打ち切った後も、第１所定時間玄関付近の映像が親機の第１表示装置の画面に表示し続けられるので、居住者は来訪者があきらめて帰ったか否かが分かる。
【００１８】
請求項５の発明によれば、来訪者との通話を打ち切った後、来訪者が執拗に呼び出しボタンを押したとしても、親機は子機からの呼び出しを無視するので、居住者は呼び出し音に煩わされることがなくなる。
【図面の簡単な説明】
【００１９】
【図１】本発明の一実施形態に係る示すインターホンシステムの構成を示すブロック図。
【図２】上記インターホンシステムにおいて、居住者と来訪者が通話中における室内装置の第１表示装置に表示される画像の表示例を示す図。
【図３】上記インターホンシステムにおいて、居住者と来訪者が通話中における室外装置の第２表示装置に表示される画像の表示例を示す図。
【図４】上記実施形態に係るインターホンシステムの動作を示すフローチャート。
【図５】上記インターホンシステムの動作に追加の機能を設けた変形例を示すフローチャート。
【図６】上記インターホンシステムの動作に追加の機能を設けた他の変形例を示すフローチャート。
【発明を実施するための形態】
【００２０】
本発明の一実施形態に係るインターホンシステムについて説明する。本実施形態に係るインターホンシステムは、室内装置（親機）１と室外装置（子機）２で構成される。室内装置１は、居住者によって操作される第１操作部１１と、来訪者と居住者の間で通話するための第１マイクロホン１２及び第１スピーカ１３と、所定の画像などを表示するための第１表示装置１４と、第１表示装置１４の画面に所定の情報を表示するための第１情報表示制御部１５と、第１スピーカから出力される音声を制御する音声制御部１６と、室内装置１の全体を制御するための親機制御部１７と、室外装置２との間で信号の送受信を行うインターフェース（Ｉ／Ｆ）１８と、必要に応じて撮像装置２６によって撮像された画像を記憶するための記憶部１９と、子機２との間での通話を制御する通話制御部９と、所定の信号又は所定の動作に応じて経過時間をカウントする計時部１０を備えている。
【００２１】
一方、室外装置２は、来訪者によって操作される第２操作部２１と、来訪者と居住者の間で通話するための第２マイクロホン２２及び第２スピーカ２３と、所定の情報を表示するための第２表示装置２４と、第２表示装置２４に所定の情報を表示するための第２情報表示制御部２５と、室外装置２の周囲の所定範囲の画像を撮像するための撮像装置２６と、室外装置２の全体を制御するための子機制御部２７と、室内装置１との間で信号の送受信を行うインターフェース（Ｉ／Ｆ）２８を備えている。
【００２２】
このインターホンシステムが戸建て住戸に使用される場合と、集合住宅に使用される場合で、第２操作部２１の構成は異なる。このインターホンシステムが戸建て住戸に使用される場合、第２操作部２１は、来訪者によって操作される呼び出しボタン又はいわゆるタッチパネルである。第２操作部２１がタッチパネルの場合、タッチパネルの操作画面が第２操作部２１として機能する。また、タッチパネルの表示画面が第２表示装置２４として機能する。一方、このインターホンシステムが集合住宅に使用される場合、第２操作部２１は、部屋番号を入力するためのテンキー及び呼び出しボタン又はそれらが表示されたタッチパネルである。後述するように、室外装置２の第２表示装置２４に、少なくとも通話残時間が表示されればよいので、部屋番号を表示するためのセグメント表示装置を第２表示装置２４として使用することも可能である。第１操作部１１及び第１表示装置１４についても同様である。
【００２３】
通話制御部９、計時部１０、第１情報表示制御部１５、音声制御部１６及び親機制御部１７は、例えば同一のＣＰＵ、ＲＯＭ及びＲＡＭなどで構成された制御装置であり、ＲＯＭにインストールされた制御プログラムに従ってそれぞれの機能を実行する。第２情報表示制御部２５及び子機制御部２７も同様に、親機制御部１７などとは別のＣＰＵ、ＲＯＭ及びＲＡＭなどで構成されている。記憶部１９としては、例えばハードディスク装置やＳＤカードなどの大容量記憶装置を用いることができる。
【００２４】
次に、このインターホンシステムの動作について、図２及び図３に示す画面表示例及び図４に示すフローチャートを参照しつつ説明する。図２は、居住者と来訪者が通話中における室内装置１の第１表示装置１４に表示される画像の表示例を示す。また、図３は、居住者と来訪者が通話中における室外装置２の第２表示装置２４に表示される画像の表示例を示す。これらの表示例では、例えば戸建て住戸に使用される場合を例示しており、集合住宅のような部屋番号を入力する画像は省略されている。
【００２５】
来訪者が呼び出しボタンを押すと又はタッチパネル上の呼び出しボタンに手を触れると（＃１）、子機制御部２７は、所定の呼び出し信号をインターフェース２８及び１８を介して室内装置１に送信する。親機制御部１７は、呼び出し信号を受信すると、音声制御部１６を介して、第１スピーカ１３から所定の呼び出し音を出力する（＃２）。それと並行して、子機制御部２７は、撮像装置２６を起動して来訪者の画像を撮像させ、撮像装置２６からの画像信号をインターフェース２８及び１８を介して室内装置１に送信する。第１情報表示制御部１５は、受信した画像信号を用いて、第１表示装置１４の画面上に来訪者の画像を表示する（＃３）。
【００２６】
ここで、居住者は、第１表示装置１４の画面上に表示された来訪者の画像を見て、屋内装置１の第１操作部に設けられている応答ボタンを操作するか否かを判断する（＃４）。居住者が応答ボタンを操作すると（＃４でＹｅｓ）、通話制御部９は、室内装置１の第１マイクロホン１２及び第１スピーカ１３と室外装置２の第２マイクロホン２２及び第２スピーカ２３との間で通話を可能とすると共に、計時部１０は、居住者によって第１操作部（応答ボタン）１１が操作されてからの経過時間を計時し、あらかじめ設定されている通話可能時間（例えば１分）から減算して通話残時間を演算する。そして、第１情報表示制御部１５及び第２情報表示制御部２５は、それぞれ図２及び図３に示すように、第１表示装置１４及び第２表示装置２４に通話残時間を表示する。これらの表示例では、第１表示装置１４及び第２表示装置２４として液晶パネルを用いており、通話残時間は、例えばプログレスバー表示されている。なお、通話残時間表示はプログレスバーに限定されるものではなく、前述のセグメント表示やその他の表示方法であってもよい。また、居住者は、第１表示装置１４の画面上に表示された来訪者の画像を見て、応答すべきでないと判断したときは（＃４でＮｏ）、そのまま応答せずに放置すればよい。
【００２７】
一般的に、来訪者が知人であったり、来訪の用件が郵便、宅配、集金、出前などであったりする場合は、一言「○○です」で用件が分かるため、通話可能時間を気にする必要はない。それに対して、セールスや勧誘の場合は、一般的に前置きが長く、なかなか本題に入らないことが多い。ところが、本実施形態に係るインターホンシステムによれば、室外装置（子機）２の第２表示装置２４の画面に通話残時間が表示され、時間の経過と共に通話残時間が減っていくので、来訪者は手短に用件を伝えるように努力すると考えられる。従って、来訪者が手慣れたセールスマンや勧誘者であったとしても、相手のペースに巻き込まれることなく、不要なものの購入や意に反する契約を断ることができる。
【００２８】
また、通話内容から相手が迷惑な来訪者ではないと判断した場合には、居住者が室内装置１の通話延長ボタンを操作することによって、通話時間を延長することができる（＃７）。居住者が通話延長ボタンを操作すると、計時部１０は、通話残時間（の演算）をリセットする（＃８）。通話残時間をリセットするタイミングは、居住者が通話延長ボタンを操作下時点であってもよいし、あるいは、通話残時間が零になった時点であってもよい。そして、通話時間が延長された場合及び延長されなかった場合のいずれも、通話制御部９は、通話残時間が零になった時点で、第１マイクロホン１２及び第１スピーカ１３と第２マイクロホン２２及び第２スピーカ２３との間での通話を遮断する。なお、特に言及していないが、居住者が室内装置１の第１操作部１１に設けられている解錠ボタンを操作したときは、その時点で、通話制御部９は、第１マイクロホン１２及び第１スピーカ１３と第２マイクロホン２２及び第２スピーカ２３との間での通話を遮断する。
【００２９】
図５及び図６は、それぞれ上記インターホンシステムの動作に追加の機能を設けた変形例を示す。なお、図４におけるステップ＃１からステップ＃１０までの動作は同じであるため、図示及びその説明を省略する。
【００３０】
図５に示す変形例では、居住者が通話時間を延長せずに通話が遮断された場合に、一定時間撮像装置による玄関付近の撮像を継続する。すなわち、手慣れたセールスマンや勧誘者は、一度断られても執拗にセールスや勧誘を試みようとすることもあり得る。そこで、ステップ＃１０において第１マイクロホン１２及び第１スピーカ１３と第２マイクロホン２２及び第２スピーカ２３との間での通話を遮断した後、例えば親機制御部１７は、居住者が通話延長ボタンを操作したか否かを判断する（＃１１）。そして、通話延長ボタンを操作していない場合、すなわち最初の通話可能時間の満了によって自動的に通話が遮断された場合（＃１１でＮｏ），計時部１０は、第１所定時間（例えば３分乃至５分）計時を行う（＃１２、＃１４）。その間、撮像装置２６は撮像を継続し、第１情報表示制御部１５は、撮像装置２６によって撮像された画像を第１表示装置１４の画面に表示し続ける（＃１３）。それによって、居住者は、来訪者があきらめて帰ったか否かを知ることができる。そして、第１所定時間経過した時点で（＃１４でＹｅｓ）、撮像装置２６による撮像及び第１表示装置１４の画面に来訪者の画像を表示することを終了する（＃１５）。なお、第１所定時間は、居住者が任意で設定することができ、且つ、来訪者が帰ったことを確認した後は、随時撮像装置２６による撮像を終了できることはいうまでもない。また、来訪者がいつまでも帰らないときに備えて、撮像装置２６による撮像時間を延長できるようにしてもよい。
【００３１】
図５に示す変形例では、居住者が通話時間を延長せずに通話が遮断された場合に、室内装置（親機）は、一定時間室外装置（子機）からの呼び出しを無視する。上記の場合と同様に、ステップ＃１０において第１マイクロホン１２及び第１スピーカ１３と第２マイクロホン２２及び第２スピーカ２３との間での通話を遮断した後、例えば親機制御部１７は、居住者が通話延長ボタンを操作したか否かを判断する（＃２１）。そして、通話延長ボタンを操作していない場合、すなわち最初の通話可能時間の満了によって自動的に通話が遮断された場合（＃２１でＮｏ），計時部１０は、第２所定時間（例えば３分乃至５分）計時を行う（＃２２、＃２５）。その間に、来訪者が再度呼び出し操作を行ったとしても（＃２３）、親機制御部１７又は音声制御部１６は、室外装置２からの呼び出し信号を無視する（＃２４）。そして、第２所定時間経過した時点で（＃２５でＹｅｓ）、親機制御部１７又は音声制御部１６による呼び出し信号の無視を解除する（＃２６）。なお、第２所定時間は、居住者が任意で設定することができることはいうまでもない。また、希に、短時間（第２所定時間）のうちに異なる来訪者によって呼び出しボタンが操作されることもあり得る。従って、図４に示す変形例と図５に示す変形例を組み合わせてもよい。
【００３２】
なお、本発明に係るインターホンシステムは、上記実施形態に限定されるものではなく、集合住宅のエントランスと各住戸の室内に設けられるインターホンシステムや、研究施設など部外者の入室を禁止するような施設に設けられるインターホンシステムとして用いることができる。また、室外装置（子機）は、必ずしも撮像装置を備えている必要はなく、少なくとも、通話残時間を表示するための第２表示装置を備えていればよい。また、室内装置（親機）も、来訪者の画像を表示するための画像表示装置（セグメント表示装置）を備えている必要はなく、通話残時間を表示するための第１表示装置（セグメント表示装置）を備えていればよい。
【００３３】
さらに、室内装置の記憶部に来訪者の画像を記憶させるようにしてもよい。さらに、室外装置の第２表示装置が液晶パネルなどの画像表示装置である場合、室内装置の第１操作部を操作することによって、撮像装置によって撮像された来訪者自身の画像を第２表示装置に表示させるようにしてもよい。すなわち、来訪者は、自分の姿が撮像装置によって撮像されていることを認識する。また、一般的に、詐欺や押し売りなど悪事を働こうとする者は、自己の姿を録画されることを嫌うので、この段階で退散する可能性が高くなる。
【符号の説明】
【００３４】
１  室内装置（親機）
２  室外装置（子機）
９  通話制御部
１０  計時部
１１  第１操作部
１２  第１マイクロホン
１３  第１スピーカ
１４  第１表示装置
１５  第１情報表示制御部
１６  音声制御部
１７  親機制御部
１８  インターフェース（Ｉ／Ｆ）
１９  記憶部
２１  第２操作部
２２  第２マイクロホン
２３  第２スピーカ
２４  第２表示装置
２５  第２情報表示制御部
２６  撮像装置
２７  子機制御部
２８  インターフェース（Ｉ／Ｆ）
【図１】
2011120078.tif 000003
【図２】
2011120078.tif 000004
【図３】
2011120078.tif 000005
【図４】
2011120078.tif 000006
【図５】
2011120078.tif 000007
【図６】
2011120078.tif 000008